【手続補正書】
【提出日】平成29年2月10日(2017.2.10)
【手続補正１】
【補正対象書類名】特許請求の範囲
【補正対象項目名】全文
【補正方法】変更
【補正の内容】
【特許請求の範囲】
【請求項１】
ワイヤレスネットワーク上のクリアチャネルアセスメントの方法であって、
電子デバイスが、第１のワイヤレスメッセージ用の第１の送信帯域幅を決定することと、
前記電子デバイスが、前記第１のワイヤレスメッセージ用の前記第１の送信帯域幅に基づいて、クリアチャネルアセスメント（ＣＣＡ）しきい値を決定することと、
前記電子デバイスが、前記第１の送信帯域幅が前記第１のワイヤレスメッセージの送信に利用可能であるかどうかを決定するために、前記決定されたクリアチャネルアセスメントしきい値に基づいて、第１のバックオフ手順を実施することと、ここにおいて、前記第１のバックオフ手順は、少なくとも２つのサブバックオフ手順を少なくとも部分的に並行して実施することを備え、各サブバックオフ手順は、エネルギーを検出するまたはパケットを検出するために、異なる周波数レンジを利用する、
前記電子デバイスが、前記第１のバックオフ手順の完了に応答して、前記第１の送信帯域幅を介して前記第１のワイヤレスメッセージを送信することと
を備える、方法。
【請求項２】
前記第１の送信帯域幅に基づいて、パケット検出エネルギーしきい値を決定することをさらに備え、前記第１のバックオフ手順を実施することは、
前記パケット検出エネルギーしきい値に基づいて、パケットが前記ワイヤレスネットワーク上で送信されているかどうかを検出することと、
パケットが検出されたかどうかに基づいて、前記第１の送信帯域幅がアイドルであるかどうかを決定することと
を備える、請求項１に記載の方法。
【請求項３】
前記第１の送信帯域幅に基づいて、第１のエネルギーしきい値を決定することをさらに備え、前記第１のバックオフ手順を実施することは、
前記第１の送信帯域幅で受信されたワイヤレスネットワークのエネルギーレベルが、前記第１のエネルギーしきい値を下回るかどうかを決定することと、
前記エネルギーレベルが前記第１のエネルギーしきい値を下回るかどうかに基づいて、前記第１の送信帯域幅がアイドルであるかどうかを決定することと
を備える、請求項１に記載の方法。
【請求項４】
前記少なくとも２つのサブバックオフ手順のうちの第１のサブバックオフ手順を完了させることと、
前記第１のサブバックオフ手順の完了に応答して、前記第１のサブバックオフ手順に対応する送信帯域幅を介して前記第１のワイヤレスメッセージを送信することと
をさらに備える、請求項１に記載の方法。
【請求項５】
前記第１のバックオフ手順を実施することは、
前記第１のバックオフ手順の完了に応答して、前記第１の送信帯域幅が利用可能であるかどうかを決定することと、ここにおいて、前記第１の送信帯域幅が利用可能である場合、前記第１の送信帯域幅で前記第１のワイヤレスメッセージが送信される、
前記第１の送信帯域幅が利用可能でない場合、前記第１の送信帯域幅よりも低い第２の送信帯域幅に基づいて、第２のバックオフ手順を実施することと、
前記第２のバックオフ手順の完了に応答して、前記第２の送信帯域幅が利用可能であるかどうかを決定することと、ここにおいて、前記第２の送信帯域幅が利用可能である場合、前記第２の送信帯域幅で前記第１のワイヤレスメッセージが送信される、
を備える、請求項１に記載の方法。
【請求項６】
ワイヤレスネットワーク上のクリアチャネルアセスメント用の装置であって、
第１のワイヤレスメッセージ用の第１の送信帯域幅を決定することと、
前記第１のワイヤレスメッセージ用の前記第１の送信帯域幅に基づいて、クリアチャネルアセスメント（ＣＣＡ）しきい値を決定することと、
前記第１の送信帯域幅が前記第１のワイヤレスメッセージの送信に利用可能であるかどうかを決定するために、前記決定されたクリアチャネルアセスメントしきい値に基づいて、第１のバックオフ手順を実施することと
を行うように構成された、電子ハードウェアプロセッサと、ここにおいて、前記電子ハードウェアプロセッサは、少なくとも２つのサブバックオフ手順を少なくとも部分的に並行して実施することによって、前記第１のバックオフ手順を実施するように構成され、各サブバックオフ手順は、エネルギーを検出するまたはパケットを検出するために、異なる周波数レンジを利用する、
前記第１のバックオフ手順の完了に応答して、前記第１の送信帯域幅を介して前記第１のワイヤレスメッセージを送信するように構成された、送信機と
を備える、装置。
【請求項７】
前記電子ハードウェアプロセッサは、
前記第１の送信帯域幅に基づいて、パケット検出エネルギーしきい値を決定するようにさらに構成され、前記プロセッサは、
前記パケット検出エネルギーしきい値に基づいて、パケットが前記ワイヤレスネットワーク上で送信されているかどうかを検出すること、および
パケットが検出されなかった場合、前記第１の送信帯域幅がアイドルであると決定すること
によって、前記第１のバックオフ手順を実施するように構成された、請求項６に記載の装置。
【請求項８】
前記電子ハードウェアプロセッサは、
前記第１の送信帯域幅に基づいて、第１のエネルギーしきい値を決定するようにさらに構成され、前記プロセッサは、
前記第１の送信帯域幅で受信されたワイヤレスネットワークのエネルギーレベルが、前記第１のエネルギーしきい値を下回るかどうかを決定すること、および
前記エネルギーレベルが前記第１のエネルギーしきい値を下回る場合、前記第１の送信帯域幅がアイドルであると決定すること
によって、前記第１のバックオフ手順を実施するようにさらに構成された、請求項６に記載の装置。
【請求項９】
前記電子ハードウェアプロセッサは、
前記少なくとも２つのサブバックオフ手順のうちの第１のサブバックオフ手順を完了させることと、
前記第１のサブバックオフ手順の完了に応答して、前記第１のサブバックオフ手順に対応する送信帯域幅を介して前記第１のワイヤレスメッセージを送信することと
を行うようにさらに構成された、請求項６に記載の装置。
【請求項１０】
前記電子ハードウェアプロセッサは、
前記第１のバックオフ手順の完了に応答して、前記第１の送信帯域幅が利用可能であるかどうかを決定すること、
前記第１の送信帯域幅が利用可能であると決定された場合、前記第１の送信帯域幅で前記第１のワイヤレスメッセージを送信すること、
前記第１の送信帯域幅が利用可能でない場合、前記第１の送信帯域幅よりも低い第２の送信帯域幅に基づいて、第２のバックオフ手順を実施すること、
前記第２のバックオフ手順の完了に応答して、前記第２の送信帯域幅が利用可能であるかどうかを決定すること、および
前記第２の送信帯域幅が利用可能であると決定された場合、前記第２の送信帯域幅で前記第１のワイヤレスメッセージを送信すること
によって、前記第１のバックオフ手順を実施するように構成された、請求項６に記載の装置。
【請求項１１】
ワイヤレスネットワーク上のクリアチャネルアセスメント用の装置であって、
第１のワイヤレスメッセージ用の第１の送信帯域幅を決定するための手段と、
前記第１のワイヤレスメッセージ用の前記第１の送信帯域幅に基づいて、クリアチャネルアセスメント（ＣＣＡ）しきい値を決定するための手段と、
前記第１の送信帯域幅が前記第１のワイヤレスメッセージの送信に利用可能であるかどうかを決定するために、前記決定されたクリアチャネルアセスメントしきい値に基づいて、第１のバックオフ手順を実施するための手段と、ここにおいて、前記第１のバックオフ手順を前記実施するための手段は、少なくとも２つのサブバックオフ手順を少なくとも部分的に並行して実施するように構成され、各サブバックオフ手順は、エネルギーを検出するまたはパケットを検出するために、異なる周波数レンジを利用する、
前記第１のバックオフ手順の完了に応答して、前記第１の送信帯域幅を介して前記第１のワイヤレスメッセージを送信するための手段と
を備える、装置。
【請求項１２】
前記第１の送信帯域幅に基づいて、パケット検出エネルギーしきい値を決定するための手段をさらに備え、前記第１のバックオフ手順を前記実施するための手段は、
前記パケット検出エネルギーしきい値に基づいて、パケットが前記ワイヤレスネットワーク上で送信されているかどうかを検出することと、
パケットが検出されなかった場合、前記第１の送信帯域幅がアイドルであると決定することと
を行うように構成された、請求項１１に記載の装置。
【請求項１３】
前記第１の送信帯域幅に基づいて、第１のエネルギーしきい値を決定するための手段をさらに備え、前記第１のバックオフ手順を前記実施するための手段は、
前記第１の送信帯域幅で受信されたワイヤレスネットワークのエネルギーレベルが、前記第１のエネルギーしきい値を下回るかどうかを決定することと
前記エネルギーレベルが前記第１のエネルギーしきい値を下回る場合、前記第１の送信帯域幅がアイドルであると決定することと
を行うように構成された、請求項１１に記載の装置。
【請求項１４】
実行されたとき、ワイヤレスネットワーク上のクリアチャネルアセスメントの方法をプロセッサに実施させる命令を備える、コンピュータ可読非一時的記憶媒体であって、前記方法は、
第１のワイヤレスメッセージ用の第１の送信帯域幅を決定することと、
前記電子デバイスが、前記第１のワイヤレスメッセージ用の前記第１の送信帯域幅に基づいて、クリアチャネルアセスメント（ＣＣＡ）しきい値を決定することと、
前記第１の送信帯域幅が前記第１のワイヤレスメッセージの送信に利用可能であるかどうかを決定するために、前記決定されたクリアチャネルアセスメントしきい値に基づいて、第１のバックオフ手順を実施することと、ここにおいて、前記第１のバックオフ手順は、少なくとも２つのサブバックオフ手順を少なくとも部分的に並行して実施することを備え、各サブバックオフ手順は、エネルギーを検出するまたはパケットを検出するために、異なる周波数レンジを利用する、
前記第１のバックオフ手順の完了に応答して、前記第１の送信帯域幅を介して前記第１のワイヤレスメッセージを送信することと
を備える、コンピュータ可読非一時的記憶媒体。
【請求項１５】
前記方法は、
前記第１の送信帯域幅に基づいて、パケット検出エネルギーしきい値を決定することをさらに備え、前記第１のバックオフ手順を実施することは、
前記パケット検出エネルギーしきい値に基づいて、パケットが前記ワイヤレスネットワーク上で送信されているかどうかを検出することと、
パケットが検出されなかった場合、前記第１の送信帯域幅がアイドルであると決定することと
を備える、請求項１４に記載のコンピュータ可読記憶媒体。
【請求項１６】
前記方法は、
前記第１の送信帯域幅に基づいて、第１のエネルギーしきい値を決定することをさらに備え、前記第１のバックオフ手順を実施することは、
前記第１の送信帯域幅で受信されたワイヤレスネットワークのエネルギーレベルが、前記第１のエネルギーしきい値を下回るかどうかを決定することと、
前記エネルギーレベルが前記第１のエネルギーしきい値を下回る場合、前記第１の送信帯域幅がアイドルであると決定することと
を備える、請求項１４に記載のコンピュータ可読記憶媒体。
【手続補正２】
【補正対象書類名】明細書
【補正対象項目名】０２４１
【補正方法】変更
【補正の内容】
【０２４１】
[00268]上記は、本開示の態様を対象とするが、本開示の基本的な範囲を逸脱することなく、本開示の他の態様およびさらなる態様が考案され得るし、本開示の範囲は以下の特許請求の範囲によって決定される。
以下に本願発明の当初の特許請求の範囲に記載された発明を付記する。
［Ｃ１］
ワイヤレスネットワーク上のクリアチャネルアセスメントの方法であって、
第１の送信帯域幅に基づいて、クリアチャネルアセスメント（ＣＣＡ）しきい値を決定することと、
前記決定されたクリアチャネルアセスメントしきい値に基づいて、第１のバックオフ手順を実施することと、
前記第１のバックオフ手順の完了に応答して、前記第１の送信帯域幅を介して第１のワイヤレスメッセージを送信することと
を備える、方法。
［Ｃ２］
第１の送信帯域幅に基づいて、パケット検出エネルギーしきい値を決定することをさらに備え、前記第１のバックオフ手順を実施することは、
前記パケット検出エネルギーしきい値に基づいて、パケットが前記ワイヤレスネットワーク上で送信されているかどうかを検出することと、
パケットが検出されたかどうかに基づいて、前記第１の送信帯域幅がアイドルであるかどうかを決定することと
を備える、Ｃ１に記載の方法。
［Ｃ３］
前記第１の送信帯域幅に基づいて、第１のエネルギーしきい値を決定することをさらに備え、前記第１のバックオフ手順を実施することは、
前記第１の送信帯域幅で受信されたワイヤレスネットワークのエネルギーレベルは、前記第１のエネルギーしきい値を下回るかどうかを決定することと、
前記エネルギーレベルが前記第１のエネルギーしきい値を下回るかどうかに基づいて、前記第１の送信帯域幅がアイドルであるかどうかを決定することと
を備える、Ｃ１に記載の方法。
［Ｃ４］
前記第１のバックオフ手順は、少なくとも部分的に並行して少なくとも２つのサブバックオフ手順を実施することを備え、各サブバックオフ手順が異なる対応する送信帯域幅に基づく、Ｃ１に記載の方法。
［Ｃ５］
前記少なくとも２つのサブバックオフ手順のうちの第１のサブバックオフ手順を完了させることと、
前記第１のサブバックオフ手順の完了に応答して、前記第１のサブバックオフ手順に対応する送信帯域幅を介して前記第１のワイヤレスメッセージを送信することと
をさらに備える、Ｃ４に記載の方法。
［Ｃ６］
前記第１のバックオフ手順を実施することは、
前記第１のバックオフ手順の完了に応答して、前記第１の送信帯域幅が利用可能であるかどうかを決定することと、ここにおいて、前記第１の送信帯域幅が利用可能である場合、前記第１の送信帯域幅で前記第１のワイヤレスメッセージが送信される、
前記第１の送信帯域幅が利用可能でない場合、前記第１の送信帯域幅よりも低い第２の送信帯域幅に基づいて、第２のサブバックオフ手順を実施することと、
前記第２のバックオフ手順の完了に応答して、前記第２の送信帯域幅が利用可能であるかどうかを決定することと、ここにおいて、前記第２の送信帯域幅が利用可能である場合、前記第２の送信帯域幅で前記第１のワイヤレスメッセージが送信される、
を備える、Ｃ１に記載の方法。
［Ｃ７］
ワイヤレスネットワーク上のクリアチャネルアセスメント用の装置であって、
第１の送信帯域幅に基づいて、クリアチャネルアセスメント（ＣＣＡ）しきい値を決定することと、
前記決定されたクリアチャネルアセスメントしきい値に基づいて、第１のバックオフ手順を実施することと
を行うように構成された、プロセッサと、
前記第１のバックオフ手順の完了に応答して、前記第１の送信帯域幅を介して第１のワイヤレスメッセージを送信するように構成された、送信機と
を備える、装置。
［Ｃ８］
前記プロセッサは、
第１の送信帯域幅に基づいて、パケット検出エネルギーしきい値を決定するようにさらに構成され、前記プロセッサは、
前記パケット検出エネルギーしきい値に基づいて、パケットが前記ワイヤレスネットワーク上で送信されているかどうかを検出すること、および
パケットが検出されなかった場合、前記第１の送信帯域幅がアイドルであると決定すること
によって、前記第１のバックオフ手順を実施するように構成された、Ｃ７に記載の装置。
［Ｃ９］
前記プロセッサは、
前記第１の送信帯域幅に基づいて、第１のエネルギーしきい値を決定するようにさらに構成され、前記プロセッサは、
前記第１の送信帯域幅で受信されたワイヤレスネットワークのエネルギーレベルが、前記第１のエネルギーしきい値を下回るかどうかを決定すること、および
前記エネルギーレベルが前記第１のエネルギーしきい値を下回る場合、前記第１の送信帯域幅がアイドルであると決定すること
によって、前記第１のバックオフ手順を実施するようにさらに構成された、Ｃ７に記載の装置。
［Ｃ１０］
前記プロセッサは、少なくとも部分的に並行して少なくとも２つのサブバックオフ手順を実施することによって、前記第１のバックオフ手順を実施するように構成され、各サブバックオフ手順が異なる対応する送信帯域幅に基づく、Ｃ７に記載の装置。
［Ｃ１１］
前記プロセッサは、
前記少なくとも２つのサブバックオフ手順のうちの第１のサブバックオフ手順を完了させることと、
前記第１のサブバックオフ手順の完了に応答して、前記第１のサブバックオフ手順に対応する送信帯域幅を介して前記第１のワイヤレスメッセージを送信することと
を行うようにさらに構成された、Ｃ１０に記載の装置。
［Ｃ１２］
前記プロセッサは、
前記第１のバックオフ手順の完了に応答して、前記第１の送信帯域幅が利用可能であるかどうかを決定すること、
前記第１の送信帯域幅が利用可能であると決定された場合、前記第１の送信帯域幅で前記第１のワイヤレスメッセージを送信すること、
前記第１の送信帯域幅が利用可能でない場合、前記第１の送信帯域幅よりも低い第２の送信帯域幅に基づいて、第２のサブバックオフ手順を実施すること、
前記第２のバックオフ手順の完了に応答して、前記第２の送信帯域幅が利用可能であるかどうかを決定すること、および
前記第２の送信帯域幅が利用可能であると決定された場合、前記第２の送信帯域幅で前記第１のワイヤレスメッセージを送信すること
によって、前記第１のバックオフ手順を実施するように構成された、Ｃ７に記載の装置。
［Ｃ１３］
ワイヤレスネットワーク上のクリアチャネルアセスメント用の装置であって、
第１の送信帯域幅に基づいて、クリアチャネルアセスメント（ＣＣＡ）しきい値を決定するための手段と、
前記決定されたクリアチャネルアセスメントしきい値に基づいて、第１のバックオフ手順を実施するための手段と、
前記第１のバックオフ手順の完了に応答して、前記第１の送信帯域幅を介して第１のワイヤレスメッセージを送信するための手段と
を備える、装置。
［Ｃ１４］
第１の送信帯域幅に基づいて、パケット検出エネルギーしきい値を決定するための手段をさらに備え、前記第１のバックオフ手順を実施するための手段は、
前記パケット検出エネルギーしきい値に基づいて、パケットが前記ワイヤレスネットワーク上で送信されているかどうかを検出することと、
パケットが検出されなかった場合、前記第１の送信帯域幅がアイドルであると決定することと
を行うように構成された、Ｃ１３に記載の装置。
［Ｃ１５］
前記第１の送信帯域幅に基づいて、第１のエネルギーしきい値を決定するための手段をさらに備え、前記第１のバックオフ手順を実施するための手段は、
前記第１の送信帯域幅で受信されたワイヤレスネットワークのエネルギーレベルが、前記第１のエネルギーしきい値を下回るかどうかを決定することと
前記エネルギーレベルが前記第１のエネルギーしきい値を下回る場合、前記第１の送信帯域幅がアイドルであると決定することと
を行うように構成された、Ｃ１３に記載の装置。
［Ｃ１６］
前記第１のバックオフ手順を実施するための手段は、少なくとも部分的に並行して少なくとも２つのサブバックオフ手順を実施するように構成され、各サブバックオフ手順が異なる対応する送信帯域幅に基づく、Ｃ１３に記載の装置。
［Ｃ１７］
実行されたとき、ワイヤレスネットワーク上のクリアチャネルアセスメントの方法をプロセッサに実施させる命令を備える、コンピュータ可読記憶媒体であって、前記方法は、
第１の送信帯域幅に基づいて、クリアチャネルアセスメント（ＣＣＡ）しきい値を決定することと、
前記決定されたクリアチャネルアセスメントしきい値に基づいて、第１のバックオフ手順を実施することと、
前記第１のバックオフ手順の完了に応答して、前記第１の送信帯域幅を介して第１のワイヤレスメッセージを送信することと
を備える、コンピュータ可読記憶媒体。
［Ｃ１８］
前記方法は、
第１の送信帯域幅に基づいて、パケット検出エネルギーしきい値を決定することをさらに備え、前記第１のバックオフ手順を実施することは、
前記パケット検出エネルギーしきい値に基づいて、パケットが前記ワイヤレスネットワーク上で送信されているかどうかを検出することと、
パケットが検出されなかった場合、前記第１の送信帯域幅がアイドルであると決定することと
を備える、Ｃ１７に記載のコンピュータ可読記憶媒体。
［Ｃ１９］
前記方法は、
前記第１の送信帯域幅に基づいて、第１のエネルギーしきい値を決定することをさらに備え、前記第１のバックオフ手順を実施することは、
前記第１の送信帯域幅で受信されたワイヤレスネットワークのエネルギーレベルが、前記第１のエネルギーしきい値を下回るかどうかを決定することと、
前記エネルギーレベルが前記第１のエネルギーしきい値を下回る場合、前記第１の送信帯域幅がアイドルであると決定することと
を備える、Ｃ１７に記載のコンピュータ可読記憶媒体。
［Ｃ２０］
前記方法は、少なくとも部分的に並行して少なくとも２つのサブバックオフ手順を実施することをさらに備え、各サブバックオフ手順が異なる対応する送信帯域幅に基づく、Ｃ１７に記載のコンピュータ可読記憶媒体。